【手続補正書】
【提出日】平成17年1月25日(2005.1.25)
【手続補正１】
【補正対象書類名】特許請求の範囲
【補正対象項目名】全文
【補正方法】変更
【補正の内容】
【特許請求の範囲】
【請求項１】
新しい情報にＵＰＵＮＩが一つも組み込まれていない場合、該新しい情報内からソースを識別するデータをメタデータとしてマイニングし、固有で永続的なユニバーサル・ネーム識別子（ＵＰＵＮＩ）とメタデータを保持するデータベース（ＭＵＰＵＮＩデータベース）に該マイニングしたメタデータをもって該マイニングしたメタデータに対応するＵＰＵＮＩをクエリーすることと、
新しい情報のＵＰＵＮＩを、該情報の元来のバージョンにアクセスするための場所のアドレスへと解決することと、
該新しい情報の利用可能性の入力をローカルのデータ構造に追加し、一つのピア上で他のピアへ送信するために利用可能な情報のアイテムをカタログすることと、
から成るピアを用いて情報をカタログする方法。
【請求項２】
カタログすべき新しい情報があるかどうか判断すること、
から更に成る請求項第１項に記載の方法。
【請求項３】
該新しい情報に固有で永続的なユニバーサル・ネーム識別子（ＵＰＵＮＩ）が組み込まれているかどうか判断すること、
から更に成る請求項第１項に記載の方法。
【請求項４】
該新しい情報にＵＰＵＮＩが一つも組み込まれていない場合、該新しい情報に対応するＵＰＵＮＩを一つ該新しい情報内に組み込むこと、
から更に成る請求項第１項に記載の方法。
【請求項５】
該対応するＵＰＵＮＩが、該ＭＵＰＵＮＩデータベースに対する該メタデータ・クエリーへのレスポンスとして得られることを特徴とする請求項第４項に記載の方法。
【請求項６】
該解決は、デジタル権利処理機関に対する該情報のアクセスを可能にするためのリクエストであることを特徴とする請求項第１項に記載の方法。
【請求項７】
該リクエストは、強化ＤＯＩグラマー・リクエストを通して達成されることを特徴とする請求項第６項に記載の方法。
【請求項８】
該新しい情報を、該ＵＰＵＮＩが解決する場所のアドレスにある情報と照合すること、
から更に成る請求項第１項に記載の方法。
【請求項９】
該ローカルのデータ構造への該入力が、該情報を利用可能にしているピアの場所のアドレスを含むことを特徴とする請求項第１項に記載の方法。
【請求項１０】
該ローカルのデータ構造への該入力が、該新しい情報を該ＵＰＵＮＩが解決する場所のアドレスにある情報と照合した場合のみ起こることを特徴とする請求項第１項に記載の方法。
【請求項１１】
該ローカルのカタログ・データ構造から一つのピアにデータを提供し、そのピアで集中型のデータ構造へとカタログ・データを集積すること、
から更に成る請求項第１項に記載の方法。
【請求項１２】
該集積するピアが、自らのローカルのカタログから該データを提供するピアへのレファレンスを含む提供された情報のアイテムをカタログすることを特徴とする請求項第１１項に記載の方法。
【請求項１３】
該集中型のデータ構造に情報のアイテムをクエリーすることができることを特徴とする請求項第１１項に記載の方法。
【請求項１４】
該集積するピアが、リクエストされた情報のアイテムを保持するローカルのピアのクエリー結果を提供することができることを特徴とする請求項第１１項に記載の方法。
【請求項１５】
カタログ・データを集積する複数の集積するピアがあり得ることを特徴とする請求項第１１項に記載の方法。
【請求項１６】
得られた該ＵＰＵＮＩに対応する所望の情報のための得られた固有で永続的なユニバーサル・ネーム識別子（ＵＰＵＮＩ）でピアを検索することと、
検索結果を得ることと、
得られた該ＵＰＵＮＩに対応する所望の情報を貰える候補ピアを識別することと、
一つの候補ピアに所望の情報をリクエストすることと、
該候補ピアから該所望の情報を得ることと、
から成るピアを用いて情報にアクセスする方法。
【請求項１７】
所望の情報のリクエストを得ること、
から更に成る請求項第１６項に記載の方法。
【請求項１８】
該所望の情報のための関連するＵＰＵＮＩが知られていない場合、（ＵＰＵＮＩ）とメタデータのデータベース（ＭＵＰＵＮＩデータベース）に対し所望の情報をクエリーすること、
から更に成る請求項第１６項に記載の方法。
【請求項１９】
該所望の情報のための関連するＵＰＵＮＩが知られていない場合、所望の情報のためのＵＰＵＮＩを一つ得ること、
から更に成る請求項第１６項に記載の方法。
【請求項２０】
該ＵＰＵＮＩがレファレンスから得られることを特徴とする請求項第１９項に記載の方法。
【請求項２１】
ピアの該検索がＵＰＵＮＩ解決システム上で行われることを特徴とする請求項第１６項に記載の方法。
【請求項２２】
ピアの該検索が他のピア上で行われることを特徴とする請求項第１６項に記載の方法。
【請求項２３】
ピアの該検索がピア・ツー・ピア・リスト・コレクター上で行われることを特徴とする請求項第１６項に記載の方法。
【請求項２４】
得られた該情報を、得られた該ＵＰＵＮＩが解決する場所にある情報と照合すること、
から更に成る請求項第１６項に記載の方法。
【請求項２５】
該照合は、強化ＤＯＩグラマー・リクエストを通して達成されることを特徴とする請求項第２４項に記載の方法。
【請求項２６】
識別した情報のための固有で永続的なユニバーサル・ネーム識別子（ＵＰＵＮＩ）を一つ得ることと、
得られた該ＵＰＵＮＩをもってＵＰＵＮＩ解決システムに、識別した該情報のための有効性確認の資格認定資料をリクエストすることと、
リクエストした該有効性確認の資格認定資料を得ることと、
代表デジタル照合バリューを、得られた該有効性確認の資格認定資料と比較することと、
から成るピアを用いて情報の有効性を確認する方法。
【請求項２７】
識別した該情報から代表デジタル照合バリューを算出すること、
から更に成る請求項第２６項に記載の方法。
【請求項２８】
該代表デジタル照合バリューの算出が、情報の比較、情報タグの比較、チェックサムの生成、デジタル証明の生成、デジタル指紋の生成、暗号化鍵の生成、パスワードの提供、及び識別した該情報の一部を選択することを含み得ることを特徴とする請求項第２７項に記載の方法。
【請求項２９】
該代表デジタル照合バリューが、チェックサム、デジタル証明、デジタル指紋、暗号化鍵、識別した該情報自体、パスワード、情報の比較の結果のバリュー、及び情報タグの比較の結果のバリュー含み得ることを特徴とする請求項第２６項に記載の方法。
【請求項３０】
カタログすべき新しい情報があるかどうか判断する手段と、
該新しい情報に固有で永続的なユニバーサル・ネーム識別子（ＵＰＵＮＩ）が一つも組み込まれていない場合、該新しい情報に対応するＵＰＵＮＩを一つ該新しい情報内に組み込む手段と、
該新しい情報にＵＰＵＮＩが一つも組み込まれていない場合、該新しい情報内からソースを識別するデータをメタデータとしてマイニングする手段で、ＵＰＵＮＩとメタデータを保持するデータベース（ＭＵＰＵＮＩデータベース）に該マイニングしたメタデータをもって該マイニングしたメタデータに対応するＵＰＵＮＩをクエリーし、該ＵＰＵＮＩが該ＭＵＰＵＮＩデータベースに対する該メタデータ・クエリーへのレスポンスとして得られる、該マイニングする手段と、
新しい情報のＵＰＵＮＩを、該情報の元来のバージョンにアクセスするための場所のアドレスへと解決する手段と、
照合が望ましい場合、該新しい情報を該ＵＰＵＮＩが解決する場所のアドレスにある情報と照合する手段と、
該新しい情報の利用可能性の入力をローカルのデータ構造に追加する手段で、一つのピア上で他のピアへ送信するために利用可能な情報のアイテムをカタログし、該ローカルのデータ構造への該入力がＵＰＵＮＩを鍵としている、該追加する手段と、
該ローカルのカタログ・データ構造から一つのピアにデータを提供する手段で、そのピアで集中型のデータ構造へとカタログ・データを集積する、該提供する手段と、
から成るピアを用いて情報にアクセスするシステム。
【請求項３１】
所望の情報のリクエストを得る手段と、
該所望の情報のための関連するＵＰＵＮＩが知られていない場合、固有で永続的なユニバーサル・ネーム識別子（ＵＰＵＮＩ）とメタデータを保持するデータベース（ＭＵＰＵＮＩデータベース）に所望の情報をクエリーする手段で、該ＭＵＰＵＮＩのクエリーがメタデータ・クエリー・トークンに基づく、該クエリーする手段と、
該所望の情報のための関連するＵＰＵＮＩが知られていない場合、該所望の情報のためのＵＰＵＮＩを一つ得る手段で、該ＵＰＵＮＩが該ＭＵＰＵＮＩデータベースからのクエリー結果から得られる、該得る手段と、
得られた該ＵＰＵＮＩに対応する該所望の情報を持つピアを検索する手段と、
検索結果を得る手段と、
得られた該ＵＰＵＮＩに対応する所望の情報を貰える候補ピアを識別する手段と、
少なくとも一つの候補ピアに所望の情報をリクエストする手段と、
少なくとも一つの候補ピアから該所望の情報を得る手段と、
得られた該情報を、得られた該ＵＰＵＮＩが解決する場所にある情報と照合する手段と、
から成るピアを用いて情報にアクセスするシステム。
【請求項３２】
有効性を確認すべき情報を識別することと、
識別した該情報のための固有で永続的なユニバーサル・ネーム識別子（ＵＰＵＮＩ）を一つ得る手段と、
得られた該ＵＰＵＮＩをもってＵＰＵＮＩ解決システムに、識別した該情報のための有効性確認の資格認定資料をリクエストする手段と、
リクエストした該有効性確認の資格認定資料を得る手段と、
代表デジタル照合バリューを、得られた該有効性確認の資格認定資料と比較する手段と、
から成るピアを用いて情報の有効性を確認するシステムで、
該代表デジタル照合バリューが、チェックサム、情報の比較、情報タグの比較、デジタル証明、デジタル指紋、暗号化鍵、識別された該情報自体、及びパスワードを含み得ることと、得られた有効性確認の資格認定資料との比較の結果としてバリューが一致した場合、識別された該情報の有効性が確認されることと、
を特徴とする該ピアを用いて情報の有効性を確認するシステム。
【請求項３３】
プロセッサによって読み出し可能な媒体に保存されたプログラムで、
所望の情報のリクエストを得るモジュールと、
該所望の情報のための関連するＵＰＵＮＩが知られていない場合、固有で永続的なユニバーサル・ネーム識別子（ＵＰＵＮＩ）とメタデータを保持するデータベース（ＭＵＰＵＮＩデータベース）に所望の情報をクエリーするモジュールで、該ＭＵＰＵＮＩのクエリーがメタデータ・クエリー・トークンに基づく、該クエリーするモジュールと、
該所望の情報のための関連するＵＰＵＮＩが知られていない場合、該所望の情報のためのＵＰＵＮＩを一つ得るモジュールで、該ＵＰＵＮＩが該ＭＵＰＵＮＩデータベースからのクエリー結果から得られる、該得るモジュールと、
得られた該ＵＰＵＮＩに対応する該所望の情報を持つピアを検索するモジュールと、
検索結果を得るモジュールと、
得られた該ＵＰＵＮＩに対応する所望の情報を貰える候補ピアを識別するモジュールと、
少なくとも一つの候補ピアに所望の情報をリクエストするモジュールと、
少なくとも一つの候補ピアから該所望の情報を得るモジュールと、
得られた該情報を、得られた該ＵＰＵＮＩが解決する場所にある情報と照合するモジュールと、
から成る該プログラム。
【請求項３４】
プロセッサによって読み出し可能な媒体に保存されたプログラムで、
有効性を確認すべき情報を識別するモジュールと、
識別した該情報のための固有で永続的なユニバーサル・ネーム識別子（ＵＰＵＮＩ）を一つ得るモジュールと、
得られた該ＵＰＵＮＩをもってＵＰＵＮＩ解決システムに、識別した該情報のための有効性確認の資格認定資料をリクエストするモジュールと、
リクエストした該有効性確認の資格認定資料を得るモジュールと、
代表デジタル照合バリューを、得られた該有効性確認の資格認定資料と比較するモジュールで、
から成る該プログラムで、
該代表デジタル照合バリューが、チェックサム、情報の比較、情報タグの比較、デジタル証明、デジタル指紋、暗号化鍵、識別された該情報自体、及びパスワードを含み得ることと、得られた有効性確認の資格認定資料との比較の結果としてバリューが一致した場合、識別された該情報の有効性が確認されることと、
を特徴とする該プログラム。
【請求項３５】
プロセッサと、
該プロセッサに通信するよう接続されたメモリと、
該メモリに保存されたプログラムで、
カタログすべき新しい情報があるかどうか判断するモジュールと、
該新しい情報に固有で永続的なユニバーサル・ネーム識別子（ＵＰＵＮＩ）が一つも組み込まれていない場合、該新しい情報に対応するＵＰＵＮＩを一つ該新しい情報内に組み込むモジュールと、
該新しい情報にＵＰＵＮＩが一つも組み込まれていない場合、該新しい情報内からソースを識別するデータをメタデータとしてマイニングするモジュールで、ＵＰＵＮＩとメタデータを保持するデータベース（ＭＵＰＵＮＩデータベース）に該マイニングしたメタデータをもって該マイニングしたメタデータに対応するＵＰＵＮＩをクエリーし、該ＵＰＵＮＩが該ＭＵＰＵＮＩデータベースに対する該メタデータ・クエリーへのレスポンスとして得られる、該マイニングするモジュールと、
新しい情報のＵＰＵＮＩを、該情報の元来のバージョンにアクセスするための場所のアドレスへと解決するモジュールと、
照合が望ましい場合、該新しい情報を該ＵＰＵＮＩが解決する場所のアドレスにある情報と照合するモジュールと、
該新しい情報の利用可能性の入力をローカルのデータ構造に追加するモジュールで、一つのピア上で他のピアへ送信するために利用可能な情報のアイテムをカタログし、該ローカルのデータ構造への該入力がＵＰＵＮＩを鍵としている、該追加するモジュールと、
該ローカルのカタログ・データ構造から一つのピアにデータを提供するモジュールで、そこで集中型のデータ構造へとカタログ・データを集積する、該提供するモジュールと、
を含む、該プログラムと、
から成る装置。
【請求項３６】
プロセッサと、
該プロセッサに通信するよう接続されたメモリと、
該メモリに保存されたプログラムで、
所望の情報のリクエストを得るモジュールと、
該所望の情報のための関連するＵＰＵＮＩが知られていない場合、固有で永続的なユニバーサル・ネーム識別子（ＵＰＵＮＩ）とメタデータを保持するデータベース（ＭＵＰＵＮＩデータベース）に所望の情報をクエリーするモジュールで、該ＭＵＰＵＮＩのクエリーがメタデータ・クエリー・トークンに基づく、該クエリーするモジュールと、
該所望の情報のための関連するＵＰＵＮＩが知られていない場合、該所望の情報のためのＵＰＵＮＩを一つ得るモジュールで、該ＵＰＵＮＩが該ＭＵＰＵＮＩデータベースからのクエリー結果から得られる、該得るモジュールと、
得られた該ＵＰＵＮＩに対応する該所望の情報を持つピアを検索するモジュールと、
検索結果を得るモジュールと、
得られた該ＵＰＵＮＩに対応する所望の情報を貰える候補ピアを識別するモジュールと、
少なくとも一つの候補ピアに所望の情報をリクエストするモジュールと、
少なくとも一つの候補ピアから該所望の情報を得るモジュールと、
得られた該情報を、得られた該ＵＰＵＮＩが解決する場所にある情報と照合するモジュールと、
を含む、該プログラムと、
から成る装置。
【請求項３７】
プロセッサと、
該プロセッサに通信するよう接続されたメモリと、
該メモリに保存されたプログラムで、
有効性を確認すべき情報を識別するモジュールと、
識別した該情報のための固有で永続的なユニバーサル・ネーム識別子（ＵＰＵＮＩ）を一つ得るモジュールと、
得られた該ＵＰＵＮＩをもってＵＰＵＮＩ解決システムに、識別した該情報のための有効性確認の資格認定資料をリクエストするモジュールと、
リクエストした該有効性確認の資格認定資料を得るモジュールと、
代表デジタル照合バリューを、得られた該有効性確認の資格認定資料と比較するモジュールで、
を含む、該プログラムと、
から成る装置で、
該代表デジタル照合バリューが、チェックサム、情報の比較、情報タグの比較、デジタル証明、デジタル指紋、暗号化鍵、識別された該情報自体、及びパスワードを含み得ることと、
得られた有効性確認の資格認定資料との比較の結果としてバリューが一致した場合、識別された該情報の有効性が確認されることと、
を特徴とする該装置。